(57)【要約】  関連する細長い円筒形の物品の所定の質量をキャビティ（１１０）内に保持するための容器（１００）が提供される。容器は、外周を有する底壁（１２０）と、底壁の外周から上向きに延びる一対の離間した側壁（１２２）と、側壁の間で底壁の外周から上向きに延びる一対の離間した端壁（１２４）とを含む。容器は、底壁（１２０）から上向きにある高さ延び且つ可変の長さを有する少なくとも１つの第１の段（１３０）や、底壁から上向きにある高さ延び且つ側壁の間の容器の幅未満のほぼ一定の長さを有する少なくとも１つの第２の段（１３２）も含む。
2014530151.tif 000002
【特許請求の範囲】
【請求項１】
関連する細長い円筒形の物品の所定の質量をキャビティ内に保持するための容器であって、
外周を有する底壁と、
該底壁の外周から上向きに延びる一対の離間した側壁と、
該側壁の間で前記底壁の前記外周から上向きに延びる一対の離間した端壁と、
前記底壁から上向きのある高さ延び且つ可変の長さを有する少なくとも１つの第１の段と、
前記底壁から上向きのある高さ延び且つ前記側壁の間の当該容器の幅未満のほぼ一定の長さを有する少なくとも１つの第２の段とを含む、
容器。
【請求項２】
前記離間する側壁は、事前に選択される角度で前記底壁から外向きに角度付けられ、前記事前に選択される角度は、約５５度〜６５度の間である、請求項１に記載の容器。
【請求項３】
前記第１の段の高さを引いた前記第２の段の高さは、前記細長い物品のうちの１つの細長い物品の半径の２倍未満である、請求項１又は２に記載の容器。
【請求項４】
前記容器キャビティの深さは、前記細長い物品のうちの１つの細長い物品の半径の約５．５倍であり、具体的には、前記容器キャビティの深さは、前記細長い物品のうちの１つの物品の半径の５．４６倍である、請求項１乃至３のうちのいずれか１項に記載の容器。
【請求項５】
前記容器キャビティの深さは、前記関連する細長い物品のうちの１つの細長い物品の半径の約３．７倍であり、具体的には、前記容器キャビティの深さは、前記関連する細長い物品のうちの１つの細長い物品の半径の３．７３倍である、請求項１乃至４のうちのいずれか１項に記載の容器。
【請求項６】
前記離間する端壁の間の距離は、前記細長い物品の各々の細長い物品の長さと実質的に同じである、請求項１乃至５のうちのいずれか１項に記載の容器。
【請求項７】
当該容器の充填容積は、前記細長い物品のバラ積み密度の約０．９倍の積によって除算される前記細長い物品の前記所定の質量と実質的に等しい、請求項１乃至６のうちのいずれか１項に記載の容器。
【請求項８】
当該容器の上方外周を定め且つ前記側壁及び端壁の上方縁から延びるフランジを更に含む、請求項１乃至７のうちのいずれか１項に記載の容器。
【請求項９】
前記フランジに封止される、好ましくは、前記フランジに密封式に封止されるカバーを更に含む、請求項８に記載の容器。
【請求項１０】
前記少なくとも１つの第１の段及び前記少なくとも１つの第２の段は、前記底壁の上に配置されるインサートとして形成される、請求項１乃至９のうちのいずれか１項に記載の容器。
【請求項１１】
前記端壁の１つから当該容器から離れる方向に延びるタブを更に含み、具体的には、孔が前記タブを通じて形成される、請求項１乃至１０のうちのいずれか１項に記載の容器。
【請求項１２】
容器であって、
外周を有する底壁と、
該底壁の外周から上向きに延びる一対の離間した側壁と、
該側壁の間で前記底壁の前記外周から上向きに延びる一対の離間した端壁と、
前記底壁から上向きのある高さ延び且つ前記側壁の間の当該容器の幅未満の長さを有する複数の離間した段とを含む、
容器。
【請求項１３】
前記離間した側壁は、約５５度〜６５度の角度で前記底壁から外向きに角度付けられる、請求項１２に記載の容器。
【請求項１４】
関連する細長い円筒形の物品の所定の質量をキャビティ内に保持する保持するための容器であって、
外周を有する底壁と、
該底壁の外周から上向きに延びる一対の離間した側壁と、
約５５度〜６５度の角度で前記側壁の間で前記底壁の前記外周から上向きに及び外向きに延びる一対の離間した端壁と、
前記物品を当該容器内に位置付けるための手段とを含む、
容器。
【請求項１５】
前記位置付けるための手段は、当該容器に一体化される、請求項１４に記載の容器。
【発明の詳細な説明】
【技術分野】
【０００１】
本発明は、一般的には、細長い物品の搬送のためのパッケージ（包装）及び方法に関し、より具体的には、溶接ワイヤ電極を保持するための容器に関する。
【背景技術】
【０００２】
過去数十年に亘って、溶接は工業及び商業製品の製造における支配的なプロセスになっている。溶接のための用途は広範に広がり、世界中で用いられている。実施例は、船舶、建造物、車両、及びパイプラインの構造を含む。溶接は既存の製品を修復し或いは変更することにおいても使用される。金属構成部品を接合する様々の方法の中でも、アーク溶接が１つの周知で極めて一般的なプロセスである。
【０００３】
アーク溶接プロセスは、消耗可能な溶接ワイヤを利用し得る。一部の場合には、溶接ワイヤを溶接ロッドとしても既知のスティック電極の形態において提供し得る。そのような容器は卸業者へのスティック電極のバラ積み搬送中に十分な保護をもたらすが、消費者への直販のための市場は搬送及び貯蔵のための追加的な保護手段を要求する。一部の場合には、スティック電極をフラックス塗膜で覆い得る。フラックス塗膜は、一部の場合には、脆弱及び／又は吸湿性であり得る。よって、過剰な移動、周囲環境への露出、及び他の有害な環境によって、溶接前の搬送及び／又は貯蔵プロセス中に、塗膜は損傷され或いは他の方法において妥協され得る。
【発明の概要】
【発明が解決しようとする課題】
【０００４】
従って、必要とされているのは、搬送及び貯蔵中に直面し得る移動及び他の環境条件の両方から溶接電極のような細長い物品を保護する、溶接電極のような細長い物品のための容器である。
【課題を解決するための手段】
【０００５】
この課題は、請求項１、１２、及び１４のうちの１つに定められるような容器によって解決される。好適な実施態様を独立項から取り得る。１つの実施態様では、関連する細長い円筒形の物品の所定の質量（塊）をキャビティ内に保持するための容器が提供される。容器は、外周を有する底壁と、底壁の外周から上向きに延びる一対の離間した側壁と、側壁の間で底壁の外周から上向きに延びる一対の離間した端壁とを含む。加えて、容器は、底壁から上向きのある高さ延び且つ側壁の間で容器の幅と等しい長さを有する少なくとも１つの第１の段と、第１の段から上向きのある高さ延び且つ側壁の間の容器の幅未満及び第１の段の長さ未満の長さを有する少なくとも１つの第２の段とを含む。
【図面の簡単な説明】
【０００６】
【図１】細長い物品のための容器の１つの実施態様を示す斜視図である。
【図２】関連する細長い物品が容器内に保持された状態の図１の容器を示す斜視図である。
【図３】図１の容器を示す更なる斜視図であり、関連する細長い物品は容器内に保持され、可撓なカバーが容器フランジの一部に張り付けられている。
【図４】図２中の線４−４に沿って取られた容器及び関連する細長い物品を示す断面図である。
【図５】図１中の線５−５に沿って取られた容器を示す更なる断面図である。
【図６】細長い物品のための容器の他の実施態様を示す斜視図であり、図２と比べて異なる一連の段を例示している。
【図７】関連する細長い物品を容器内に備える図６の容器を示す斜視図である。
【図８】図７中の線８−８に沿って取られた容器及び関連する細長い物品を示す断面図である。
【図９】図６中の線９−９に沿って取られた容器を示す断面図である。
【図１０】細長い物品のための容器の更なる他の実施態様を示す斜視図であり、図２及び６と比べて更なる他の一連の段を例示している。
【図１１】図１０中の線１１−１１に沿って取られた容器を示す断面図である。
【図１２】細長い物品のための容器の更なる他の実施態様を示す斜視図であり、図２、６、及び１０と比べて一層更なる他の一連の段を例示している。
【発明を実施するための形態】
【０００７】
次に、その表示が開示の主題を限定する目的のためではなく開示の主題の実施態様を例示するだけの目的のためである図面を参照すると、図１−５は、溶接電極のような関連する細長い円筒形の物品１５０の貯蔵及び輸送のために利用される容器１００の１つの実施態様を示している。１つの実施態様において、容器１００は、底壁１２０と、一対の離間した側壁１２２と、一対の離間した端壁１２４とを含む。離間した端壁１２４の間の距離は、細長い物品１５０の各々の長さと実質的に同じである。容器１００は、少なくとも１つの第１の段１３０（第１のステップ）や、少なくとも１つの第２の段１３２（第２のステップ）も含む。図面に示されるように、少なくとも１つの第１の段１３０及び少なくとも１つの第２の段１３２は、平行に離間し得る２つ又はそれよりも多くの離間した段１３０，１３２を含み得る。構造上、容器を形成するのに強化プラスチックのような他の材料も使用し得るが、コーティングされていない金属、例えば、アルミニウム製トレイとして或いは特にラッカー膜で部分的にコーティングされたスズ製トレイとして、容器１００を提供し得る。容器１００に所定の質量（塊）の関連する物品１５０を充填する前に、容器本体は、その内に形成される第１の段１３０及び第２の段１３２のいずれかを備えなくてもよい。むしろ、容器本体内にパッケージされるべき関連する物品１５０の大きさに依存して異なる寸法の段１３０，１３２を含むよう引き続きプレスされ或いは打ち抜き得る、非形成ブランク（素材）として容器本体を提供し得る。
【０００８】
図１−５を依然として参照すると、底壁１２０は外周(perimeter)を有する。１つの実施態様において、外周は多角形であり、幅と、長さとを有する。図示されているように、離間した側壁１２２は、容器底壁１２０の外周から上向きに延び、離間した端壁１２４に対して垂直であり、離間した端壁１２４も、底壁１２０から上向きに延びる。壁１２０，１２２，１２４の構造に鑑みれば、それらの壁は容器１００の容積を定めると言い得る。この開示の目的のために、容器の容積をキャビティ１１０（空洞）と呼ぶ。フランジ１４０が壁１２２，１２４の頂部で容器の上方外周を定める。
【０００９】
構造的に、側壁１２２は、所定の角度αで互いから離れる方向に底壁１２０から外向きに傾斜している。換言すれば、側壁１２２は、角度αの半分だけ垂直から離れる方向に角度付けられている。１つの実施態様では、細長い物品１５０の密な配置を得るために、角度αは約６０°である。６０°の角度αを利用することは、図４に最良に示されているように、平面内に円の六角形配置をもたらす。六角形構成が詰込み円の最大の密度をもたらすことに鑑みれば、側壁１２２のそのような配置は、比較的小さい容積を有するキャビティ１１０内での比較的多数の細長い物品１５０のパッケージ（包装）を許容し、それによって、パッケージのために使用される材料の量を減少させ、それによって、所与の容積の販売空間内に収容される製品の量を増大させる。代替的に、詰込み密度の観点から余り効率的でないとしても、より大きい範囲の角度及びより小さい範囲の角度の両方も想起されるが、ある範囲の角度内、例えば、約５５°〜約６５°の間にあるよう、角度αを事前決定し得ることが想起される。
【００１０】
図１−５に戻ると、容器１００は、底壁１２０から上向き高さＨ１延びる複数の第１の段１３０も含む。第１の段１３０は、１つの側壁１２２と角度付き壁１３４（傾斜壁）との間の容器底の幅と等しい可変の長さを有する。壁１２２（右側）及び１３４が互いから離れる方向に角度付けられ或いは傾斜していることに鑑みれば、第１の段１３０の長さは、壁１２２，１３４の間の距離が増大するに応じて底壁１２０から上向きに移動して、容器１００の底により近い比較的より短い長さＬ１からフランジ１４０（右側）により近い比較的より長い長さＬ２まで変化することが理解されるべきである。図１に最良に示されるように、第１の段１３０は、３つの段であり得る。段の他の非対称的な配置又は全長の段、即ち、如何なる方向付けもない段も想起されるが、第１の段１３０を容器１００の長さに沿って等距離に離間させ或いは配置させ得る。
【００１１】
第１の段１３０に加えて、容器は、少なくとも１つの、好ましくは、２つ又はそれよりも多くの第２の段１３２も含む。図５に例示されているように、第２の段１３２は、底壁１２０から上向きにＨ２延びる。第１の段１３０とは異なり、第２の段１３２は、側壁１２２のうちの１つ（左）と側壁と平行な第２の段の角度付き壁１３４との間の距離である、実質的に一定の長さＬ３を有する。即ち、長さＬ３はほぼ一定であり、それは可変の長さの第１の段１３０と対照的である。その場合には、段１３０，１３２を、組み合わせにおいて、容器１００内に物品を位置付けるための手段と呼び得る。１つの実施態様において、段１３０，１３２の各々の少なくとも１つは、端壁１２４のうちの少なくとも１つから直接的に延び得る。段１３０，１３２は容器１００内に打ち抜かれ或いはプレスされるが、容器を電極１５０で充填する前に、段と同じ寸法を有するよう構成されるインサートを非打抜き容器内に挿入し得ることも想起される。他の実施態様では、プラスチック材料から容器１００を成形し得ることも想起される。
【００１２】
図４及び５に示されるように、容器キャビティ１１０は、第１の深さＤ１を有し、第１の深さＤ１は、第１の段の高さＨ１を引いた容器の高さＨＣの高さに対応する。同様に、容器キャビティ１１０は、第２の深さＤ２を有し、第２の深さＤ２は、第２の段の高さＨ２の高さを引いた容器の高さＨＣの高さに対応する。図１−５に示される実施態様において、第１の深さＤ１は、細長い物品１５０のうちの１つの細長い物品の半径の約５．５倍であり、それは３つの六角形に詰め込まれる列の細長い物品の高さに対応し、その結果、細長い物品の頂部の列の頂面は、フランジ１４０と面一又は同じ高さである。より具体的には、第１の深さＤ１は、細長い物品１５０のうちの１つの細長い物品の半径の５．４６倍である。側壁１２２の角度付き配置に鑑みれば、第１の段の高さＨ１を引いた第２の段の高さＨ２は、細長い物品のうちの１つの細長い物品の半径の２倍未満である。同様に、容器キャビティ１１０は、第２の深さＤ２を有し、第２の深さＤ２は、第２の段の高さＨ２を引いた容器の高さＨＣに対応する。
【００１３】
１つの実施態様において、容器１００内にパッケージ（包装）されるべき細長い物品１５０は、フラックスで被覆された溶接電極である。そのような電極の創成のための製造プロセスは比較的一貫した製品を提供するので、各特定の電極直径−長さ−フラックス被覆の組み合わせは、既知のバラ積み密度（バルク密度）を有する。従って、（一定の数の電極とは対照的に）所定の一定の質量の電極を販売するという願望が存在する場合には、容器１００は、電極のバラ積み密度の約０．９倍の製品によって除算された所定の質量の電極と実質的に等しい容積の電極を収容するよう構成されるキャビティ１１０を有するよう設計される。より具体的には、二次元空間内の六角形の格子の密度が０．９０６９に近似する１２の平方根によってπを除算することによって見出されることに鑑みれば、電極のバラ積み密度約０．９０６９倍の製品によって除算された所定の質量の電極と実質的に等しい容積の電極を収容するよう、キャビティ容積１１０を構成し得る。よって、キャビティ１１０の充填される容積又は電極によって実際に占められるキャビティの容積は、約０．９０６９と電極のバラ積み密度との積によって除算される電極の所定の質量である。１つの場合には、他の所定の質量を保持するためにも容器１００を構成し得るが、電極の所定の質量は１キログラムであり得る。
【００１４】
細長い物品１５０の頂部列のの頂面はフランジ１４０と面一であり或いは同じ高さであるので、カバー１４２が次にフランジ１４０に封止され、タブ１４４の全部又は一部に封止され得る。プラスチックを含む他の材料も単独で或いは金属箔との組み合わせにおいて利用し得るが、カバー１４２を金属箔又は積層金属箔で形成し得る。それにも拘わらず、周囲環境から細長い物品への水分透過を防止するために、細長い物品１５０を容器１００内に密封式に封止するようカバー１４２を構成し得る。この適用の目的のために、密封シールは、気密なシーツを意味する、即ち、周囲空気がシールを通じて移動しないことを意味するものとして定義付けられる。１つの場合には、フランジ１４０へのカバー１４２の封止適用の前に或いはそれと同時に、キャビティ１１０内に真空を引き込み得、その結果、細長い物品１５０は真空パック（詰込み）される。周囲環境の有害な影響が封止容器１００に進入するのを更に防止するために、極めて低い水分透過性を有する材料であるようシールを選択し得る。特定の場合には、シールは略ゼロの水分透過性を有し得る。溶接工は単一事象中に容器１００内に提供される電極１５０の全てを使用しないかもしれないので、カバー１４２の一部をフランジ１４０に選択的に再封止可能であり得る。そのような構成は、溶接工がフランジ１４０からカバー１４２の一部を剥がし、１つ又はそれよりも多くの電極１５０を取り除き、次に、カバーをフランジの上に押し戻して、カバーをフランジに再封止すことを許容し得る。フランジ１４０からのカバー１４２の部分的に過ぎない取外しを容易化するために、カバーの１つの部分が、第１の接着剤を用いてフランジに封止され得るのに対し、フランジに再封止可能であるよう構成されるカバーの部分が、再使用可能な感圧性の接着剤として記載され得る第２の接着剤を用いてフランジに封止され得ることが想起される。それにも拘わらず、カバー１４２をフランジ１４０に固定するために、如何なる数及び組み合わせの接着剤又は他の締結具をも使用し得る。
【００１５】
任意的な細長いタブ１４４が、端壁１２４の一方から容器１００から離れる方向に延びている。１つの実施態様において、タブ１４４はフランジ１４０から直接的に延び得るが、タブが端壁１２４から或いは側壁１２２から直接的に延び得ることも想起される。加えて、タブ１４４に孔１４６を形成し得る。使用中、小売環境におけるディスプレイのために、孔１４６にフック又は他の懸架素子を過ぎ越させ得る。更に、溶接プロセス中に追加的な電極のために大きな缶又は他の遠隔場所に継続的に戻ることに比べて溶接電極へのアクセスを比較的より便利にするよう、溶接工は容器１００を彼のベルト又は他の場所に取り付け或いは繋ぐために孔１４６を利用し得る。
【００１６】
図１−５の実施態様と比べて、図６−９に示される例示的な実施態様において、容器２００も、少なくとも１つの、好ましくは、２つ又はそれよりも多くの第１の段２３０（第１のステップ）を含み、第１の段２３０は、底壁２２０から上向きに高さＨ２延びるが、第１の段２３０は、第１の段１３０と異なる寸法を有する。第１の段２３０は、１つの側（右側）の側壁２２２と角度付き壁２３４（傾斜壁）との間の容器底の幅と等しい可変の長さを有する。壁２２２，２３４が互いから離れる方向に角度付いていることに鑑みれば、第１の段２３０の長さは、壁２２２，２３４の間の距離が増大するに応じて底壁２２０から上向きに移動して、容器２００の底により近い比較的より短い長さＬ１からフランジ２４０により近い比較的より長い長さＬ２まで異なる。図６に最良に示されているように、第１の段２３０は、３つの段であり得る。第１の段２３０を容器２００の全長に沿って或いは全長を覆って等距離に離間させ或いは配置させ得るが、他の非対称的な段の配置も想起される。離間する端壁２２４の間の距離は、細長い物品２５０の各々の細長い物品の長さと実質的に同じである。図６に最良に示される実施態様において、少なくとも１つの第１の段２３０は、３つの段である。
【００１７】
第１の段２３０に加えて、容器は、少なくとも１つの、好ましくは、２つ又はそれよりも多くの第２の段２３２（第２のステップ）も含む。第２の段２３２は、底壁２２０から上向きに高さＨ２延びている。第１の段２３０と異なり、第２の段２３２は、実質的に一定の長さＬ３を有し、長さＬ３は、側壁２２２の１つと側壁と平行な第２の段の角度付き壁２３４との間の距離である。即ち、可変の長さの第１の段２３０と対照的に、長さＬ２はほぼ一定である。その場合には、段２３０，２３２を、組み合わせにおいて、容器２００内に物品を位置付けるための手段と呼び得る。１つの実施態様において、段２３０，２３２の各々の少なくとも１つは、少なくとも端壁２２４から直接的に延び得る。段２３０，２３２は容器２００内に打ち抜かれ或いはプレスされるが、容器に電極２５０を充填する前に、段と同じ寸法を有するよう構成されるインサートを非打抜き容器内に挿入し得ることも想起される。他の実施態様では、容器２００をプラスチック材料で作製し得ることも想起される。
【００１８】
図８及び９に示されるように、容器キャビティ２１０（容器空洞）は、第１の深さＤ１を有し、第１の深さＤ１は、第１の段の高さＨ１を引いた容器の高さＨＣに対応する。同様に、容器キャビティ２１０は、第２の深さＤ２を有し、第２の深さＤ２は、第２の段の高さＨ２を引いた容器の高さＨＣに対応する。図６−９に示される実施態様において、第１の深さＤ１は、細長い物品２５０のうちの１つの細長い物品の半径の約３．７倍であり、それは細長い物品の３つの六角形に詰め込まれた列の高さに対応し、その結果、細長い物品の頂部列の頂面は、フランジ２４０と面一であり或いは同じ高さである。より具体的には、第１の深さＤ１は、細長い物品２５０のうちの１つの細長い物品の半径の３．７３倍である。側壁２２２の角度付き配置に鑑みれば、第１の段の高さＨ１を引いた第２の段の高さＨ２は、細長い物品のうちの１つの細長い物品の半径の２倍未満である。同様に、容器キャビティ２１０は、第２の深さＤ２を有し、第２の深さＤ２は、第２の段の高さＨ２を引いた容器の高さＨＣに対応する。
【００１９】
図１０−１１に示される更に他の例示的な実施態様において、容器３００も、少なくとも１つの、好ましくは、２つ又はそれよりも多くの段３３０（ステップ）を含み、段３３０は、底壁３２０から上向きに高さＨ２延びている。段３３０は、長さＬ３を有し、長さＬ３は、側壁３２２の間の容器の幅未満である。加えて、段３３２は、側壁３２２のうちの１つと平行な段の角度付き壁３３４（傾斜壁）を含み、その結果、Ｌ３は、段３３２の各々の高さと実質的に同じである。即ち、長さＬ３はほぼ固定的又は一定である。図１０に最良に示されているように、少なくとも１つの段３３０は、３つの段である。段３３０を容器３００の長さに沿って等距離に離間させ或いは配置させ得るが、段の他の非対称的な配置又は連続的な段も想起される。段３３０を容器３００内に物品を位置付けるための手段とも呼び得る。段３３０は容器３００内に打ち抜かれ或いはプレスされるが、容器３００に電極３５０を充填する前に、段と同じ寸法を有するよう構成されるインサートを非打抜き容器内に挿入し得ることも想定される。他の実施態様では、プラスチック材料で容器３００を成形し得ることも想起される。
【００２０】
図１１に示されるように、容器キャビティ３１０（容器空洞）は、第１の深さＤ１を有し、第１の深さＤ１は、容器の高さＨＣに対応する。同様に、容器キャビティ３１０は、第２の深さＤ２を有し、第２の深さＤ２は、段の高さＨ２を引いた容器の高さＨＣに対応する。図５又は９に示される寸法と類似の寸法を有するよう段３３０を構成し得るが、特定の電極直径−長さ−フラックス被覆の組み合わせ及び容器３００内にパッケージ（包装）されるべき所定の質量に依存して、他の構成も想起し得る。
【００２１】
図１２に示される一層更なる他の例示的な実施態様において、容器４００は、図１−５に示される容器と殆ど同じ方法において構成されており、図１−５に示される段１３０，１３２と同じ又は類似の寸法を有する少なくとも１つの第１の段４３０（第１のステップ）と少なくとも１つの第２の段４３２（第２のステップ）とを備える。図１−５の実施態様と比べると、図１２に示される例示的な実施態様では、容器４００も、少なくとも１つの、好ましくは、２つ又はそれよりも多くの第１の段４３０（第１のステップ）を含み、第１の段４３０は、底壁４２０から上向きの高さで延びている。第１の段４３０は、１つの側壁４２２と角度付き壁４３４（傾斜壁）との間の容器底の幅と等しい可変の長さを有する。最良に示されているように、第１の段４３０は、２つの段であり得る。図示されているように、第１の段４３０の少なくとも１つは側壁４２４と接触する。それにも拘わらず、第１の段４３０を容器４００の長さに沿って等距離に或いは非対称的に離間させ或いは配置させ得る。
【００２２】
図１−５の実施態様の場合と同様に、図１２中の実施態様の第２の段４３２（第２のステップ）は、底壁４２０から上向きにある高さ延びている。その場合には、段４３０，４３２を、組み合わせにおいて、容器４００内に物品を位置付けるための手段と呼び得る。図示されているように、段のうちの少なくとも１つ４３２は、端壁４２４の少なくとも１つから直接的に延び得る。段４３０，４３２は容器４００内に打ち抜かれ或いはプレスされるが、容器に電極を充填する前に、段と同じ寸法を有するよう構成されるインサートを非打抜き容器内に挿入し得る。他の実施態様では、プラスチック材料から容器４００を成形し得ることも想起される。
【００２３】
本発明の請求項の主題を特定の実施態様を参照して記載したが、請求項の主題の範囲から逸脱せずに、様々の変更を行い得ること並びに均等物に置換し得ることが当業者によって理解されるであろう。加えて、特定の状況又は材料を請求項の主題の教示に適合させるために、その範囲から逸脱せずに多くの修正を行い得る。従って、請求項の主題は開示される特定の実施態様に限定されないこと並びに請求項の主題は付属の請求項の範囲内に入る全ての実施態様を含むことが意図されている。
【符号の説明】
【００２４】
１００  容器
１１０  キャビティ（空洞）
１２０  底壁
１２２  側壁
１２４  端壁
１３０  第１の段（第１のステップ）
１３２  第２の段（第２のステップ）
１３４  角度付き壁（傾斜壁）
１４０  フランジ
１４２  カバー
１４４  タブ
１４６  孔
１５０  円筒形の物品
２００  容器
２２０  底壁
２２２  側壁
２２４  端壁
２３０  第１の段（第１のステップ）
２３２  第２の段（第２のステップ）
２３４  角度付き壁（傾斜壁）
２４０  フランジ
２４４  タブ
２４６  孔
２５０  細長い物品
３００  容器
３１０  容器キャビティ（容器空洞）
３２０  底壁
３２２  側壁
３２４  端壁
３３０  第１の段（第１のステップ）
３３２  第２の段（第２のステップ）
３２４  角度付き壁（傾斜壁）
３４０  フランジ
３４４  タブ
３４６  孔
４００  容器
４２０  底壁
４２２  側壁
４２４  側壁
４３０  第１の段（第１のステップ）
４３２  第２の段（第２のステップ）
４３４  角度付き壁（傾斜壁）
４４０  フランジ
４４４  タブ
４４６  孔
α      角度
Ｄ１    第１の深さ
Ｄ２    第２の深さ
Ｈ１    第１の段の高さ
Ｈ２    第２の段の高さ
ＨＣ    容器の高さ
Ｌ１    より短い長さ
Ｌ２    より長い長さ
Ｌ３    一定の長さ
【図１】
2014530151.tif 000003
【図２】
2014530151.tif 000004
【図３】
2014530151.tif 000005
【図４】
2014530151.tif 000006
【図５】
2014530151.tif 000007
【図６】
2014530151.tif 000008
【図７】
2014530151.tif 000009
【図８】
2014530151.tif 000010
【図９】
2014530151.tif 000011
【図１０】
2014530151.tif 000012
【図１１】
2014530151.tif 000013
【図１２】
2014530151.tif 000014
【国際調査報告】
2014530151.tif 000015
2014530151.tif 000016
2014530151.tif 000017
2014530151.tif 000018
2014530151.tif 000019